(57)【要約】【課題】コスト高になることなく、液晶表示部の周囲の透明部分を大きくすることにより、装飾性を高める。【解決手段】炊飯鍋１０を収容する炊飯器本体１１と、炊飯器本体１１に開閉可能に取り付けられ炊飯鍋１０の開口部を閉塞する蓋体５２とを備え、炊飯器本体１１の正面上側に、少なくとも炊飯メニューに基づく印４０を表示する液晶表示部３７と、炊飯操作を行うためのスイッチ３８と、液晶表示部３７の印４０に対応するメニュー表示４２ａを有するメニューシート４１とを配設する炊飯器において、メニューシート４１を、炊飯器本体１１の外装体に配設するとともに、メニューシート４１にスイッチ３８のスペーサ部３０を貫通させる貫通孔４３を設けた構成とする。【選択図】図１
2006314700.tif 000002
【特許請求の範囲】
【請求項１】
炊飯鍋を収容する炊飯器本体と、該炊飯器本体に開閉可能に取り付けられ前記炊飯鍋の開口部を閉塞する蓋体とを備え、前記炊飯器本体の正面上側に、少なくとも炊飯メニューに基づく印を表示する液晶表示部と、炊飯操作を行うためのスイッチと、前記液晶表示部の印に対応するメニュー表示を有するメニューシートとを配設する炊飯器において、
前記メニューシートを、前記炊飯器本体の外装体に配設するとともに、該メニューシートにスイッチのスペーサ部を貫通させる貫通孔を設けたことを特徴とする炊飯器。
【請求項２】
前記炊飯器本体の外装体は、胴体の上部に別体の肩体を配設したもので、該肩体に前記メニューシートを配設していることを特徴とする請求項１に記載の炊飯器。
【請求項３】
前記スイッチに応じた表示および少なくとも前記液晶表示部を透視可能な透明部を有する表面部材を設け、該表面部材と前記炊飯器本体の外装体との間に前記メニューシートを挟み込んで配設したことを特徴とする請求項１または請求項２に記載の炊飯器。
【請求項４】
前記炊飯器本体の外装体に前記スイッチのスペーサ部を一体に設けたことを特徴とする請求項１乃至請求項３のいずれか１項に記載の炊飯器。
【請求項５】
前記メニューシートの縁に取付片を突設するとともに、前記炊飯器本体の外装体に前記取付片を差し込んで固定する取付部を設けたことを特徴とする請求項１乃至請求項４のいずれか１項に記載の炊飯器。
【発明の詳細な説明】
【技術分野】
【０００１】
本発明は、炊飯器に関するものである。
【背景技術】
【０００２】
従来、炊飯器は、炊飯鍋を収容する炊飯器本体と、該炊飯器本体に開閉可能に取り付けられた蓋体とを備え、前記炊飯器本体の内部に配設した加熱手段によって前記炊飯鍋を加熱することにより、炊飯鍋内にセットした飯米を炊飯するものである。炊飯器本体の正面には、炊飯操作を行うための複数のスイッチが配設されるとともに、その中央に炊飯条件の選択状態などを表示するための液晶表示部が設けられている。
【０００３】
本発明の炊飯器に関連する先行技術文献情報としては次のものがある。
【０００４】
【特許文献１】特開２００３−１８０５１４号公報
【０００５】
この特許文献１には、炊飯器本体内部の正面側に基板を配設し、該基板に液晶スペーサ部材を介して液晶表示部が配設されている。また、基板には複数のスイッチが配設され、各スイッチと対応するスペーサ部を有するスイッチスペーサ部材が、前記液晶スペーサ部材を囲繞するように配設されている。さらに、液晶表示部の周囲には、メニュー表示が印刷などによって設けられたメニューシートが配設されており、このメニューシートは、前記スイッチスペーサ部材に固定することにより、前記液晶表示部の周囲に位置決めされている。そして、これらの表面には、その表示部分を透明材料によって形成するとともに、スイッチのスペーサ部と対応する部分を軟質材料によって形成したインサートパネルが配設される。または、透明なパネルシートを介して表面パネルが配設される。
【０００６】
この種の炊飯器は、全体の小型化を図ることを目的とした機能面、および、柔らかな外観を与えることを目的とした装飾面を考慮して、外装体全体を曲面で構成している。また、デザイン的に高級感を持たせるためには、液晶表示部を大きくすることが好ましい。しかし、液晶表示部を大きくした場合、外装体が曲面状をなすため、液晶表示部が外装体の表面から離れ、液晶表示部が見え難くなり、使用上の利便性（機能面）が悪くなるという問題がある。
【０００７】
そのため、表示部分を大きく見せて装飾性を高めるためには、外装体を構成する前記インサートパネルまたは表面パネルの透明部分を大きくすることが考えられた。しかし、この場合には、液晶表示部の周囲に位置するスペーサ部が透明部分を透して目視できるため、違和感があり、装飾性を低下させるという不都合がある。
【０００８】
そこで、液晶表示部の周囲に配置するメニューシートによってスペーサ部を隠す方法が提案された。しかし、この場合には、メニューシートを大きくする必要があるため、このメニューシートを固定する液晶スペーサ部材またはスイッチスペーサ部材を大きくする必要があり、コスト高になるという問題がある。
【発明の開示】
【発明が解決しようとする課題】
【０００９】
本発明は、従来の問題に鑑みてなされたもので、コスト高になることなく、液晶表示部の周囲の透明部分を大きくすることにより、装飾性を高めることができる炊飯器を提供することを課題とするものである。
【課題を解決するための手段】
【００１０】
前記課題を解決するため、本発明の炊飯器は、炊飯鍋を収容する炊飯器本体と、該炊飯器本体に開閉可能に取り付けられ前記炊飯鍋の開口部を閉塞する蓋体とを備え、前記炊飯器本体の正面上側に、少なくとも炊飯メニューに基づく印を表示する液晶表示部と、炊飯操作を行うためのスイッチと、前記液晶表示部の印に対応するメニュー表示を有するメニューシートとを配設する炊飯器において、前記メニューシートを、前記炊飯器本体の外装体に配設するとともに、該メニューシートにスイッチのスペーサ部を貫通させる貫通孔を設けた構成としている。
具体的には、前記炊飯器本体の外装体は、胴体の上部に別体の肩体を配設したもので、該肩体に前記メニューシートを配設している。
【００１１】
この炊飯器では、炊飯器本体の外装体にメニューシートを配設するため、メニューシートを大きくしても液晶スペーサ部材などの他の部材を大きくする必要はなく、コスト高になることを防止できる。しかも、別体からなるスイッチスペーサ部材または液晶スペーサ部材の製造誤差および組付誤差に伴う、メニューシートの組付作業性および組付精度を向上できる。
【００１２】
この炊飯器では、前記スイッチに応じた表示および少なくとも前記液晶表示部を透視可能な透明部を有する表面部材を設け、該表面部材と前記炊飯器本体の外装体との間に前記メニューシートを挟み込んで配設することが好ましい。この構成では、メニューシートを大きくすることができるため、表面部材の透明部を大きくしてもスイッチのスペーサ部が露出することを防止できる。そのため、表面部材の透明部を大きくして、デザイン的に高級感を持たせることができる。
【００１３】
また、前記炊飯器本体の外装体に前記スイッチのスペーサ部を一体に設けることが好ましい。このようにすれば、部品点数の削減を図ることができ、コストダウンを図ることができるうえ、メニューシートの組付作業性を向上できる。
【００１４】
さらに、前記メニューシートの縁に取付片を突設するとともに、前記炊飯器本体の外装体に前記取付片を差し込んで固定する取付部を設けることが好ましい。このようにすれば、メニューシートの取付作業性が向上する。
【発明の効果】
【００１５】
本発明の炊飯器では、炊飯器本体の外装体、具体的には、上部の肩体にメニューシートを配設するため、コスト高になることなくメニューシートを大きくすることができる。そのため、表面部材の透明部を大きくでき、デザイン的に高級感を持たせるように装飾性を高めることができる。しかも、別体からなるスイッチスペーサ部材または液晶スペーサ部材の製造誤差および組付誤差に伴う、メニューシートの組付作業性および組付精度を向上できる。
【発明を実施するための最良の形態】
【００１６】
以下、本発明の実施の形態を図面に従って説明する。
【００１７】
図１および図２は、本発明の実施形態に係る圧力炊飯器を示す。この圧力炊飯器は、電磁誘導加熱される炊飯鍋１０を着脱可能に収容する炊飯器本体１１と、該炊飯器本体１１に回動可能に取り付けた蓋体５２とからなり、この蓋体５２の内側の面には内蓋５５が着脱可能に取り付けられるものである。
【００１８】
前記炊飯器本体１１は、筒形状をなす胴体１２と、該胴体１２の下端開口を閉塞する底体１３と、前記胴体１２の上端開口を覆うように取り付ける肩体１４とからなる外装体を備えている。この肩体１４は、その中央部に炊飯鍋１０を着脱可能に配置するための円形状の開口部１５を備え、この開口部１５の下部に、筒状をなす内胴１６と、非導電性材料からなる保護枠１７とが配設されている。この保護枠１７の下部外周面には、誘導加熱コイル１８がフェライトコア１９を介して配設されている。また、炊飯鍋１０の温度を検出するための炊飯鍋用温度センサ２０が保護枠１７を貫通して配設されている。さらに、前記肩体１４には、図１および図３に示すように、背面側に蓋体５２を開閉可能に取り付けるためのヒンジ受部２１が設けられ、正面側に蓋体５２のロック部を係止するロック穴２２が設けられている。さらにまた、肩体１４の正面上側には、操作基板３６と、メニューシート４１と、表面部材４６とからなる操作部２３が設けられている。
【００１９】
具体的には、まず、肩体１４の正面上部には、下向きに窪んだ表面部材配設部２４が設けられている。この表面部材配設部２４には、その中央に液晶表示部３７を露出するための露出口２５が設けられるとともに、両側に係止孔２６が設けられている。ここで、この露出口２５の開口面積は、後述する液晶表示部３７の約４倍であり、従来（約２倍）と比較して非常に大きく設定されている。また、露出口２５の両側中央部および正面側中央部には、メニューシート４１を固定するための取付部２７ａ，２７ｂ，２７ｃが設けられている。左右の取付部２７ａ，２７ｂは、凹状に窪んだ溝からなる。正面側の取付部２７ｃは、内側に貫通した孔からなる。
【００２０】
前記露出口２５の背部中央には、別体の液晶表示部３７を装着する矩形状の枠体からなる装着部２８がブラケット２９を介して一体成形され、この装着部２８の背部に後述する操作基板３６が固定される。また、露出口２５の両側部には、操作基板３６に実装されたスイッチ３８に対応する合計で６個のスペーサ部３０が薄肉の弾性片３１を介して一体成形されている。さらに、肩体１４において、前記露出口２５の両側上部にはスイッチ用開口部３２ａ，３２ｂが設けられている。そして、一方のスイッチ用開口部３２ａには、スペーサ部３３が弾性片３４を介して一体成形されている。また、他方のスイッチ用開口部３２ｂには、別体からなる操作部材３５が配設されている。
【００２１】
前記操作基板３６は、液晶表示部３７と、炊飯操作を行うためのスイッチ３８とを実装したものである。この操作基板３６は、液晶表示部３７を前記装着部２８に対応させてネジ止めにより固定することにより、各スイッチ３８が前記各スペーサ部３０，３３および操作部材３５に対応する。前記液晶表示部３７は、図４に示すように、現在時刻、炊飯残時間、連続保温時間などを表示するための数値表示部３９、および、予め設定された炊飯メニュー毎に印４０が設けられたセグメント表示方式のＬＣＤからなる。
【００２２】
前記メニューシート４１は、図３および図４に示すように、炊飯器本体１１の外装体である前記肩体１４の露出口２５を覆うように配設される軟質な有色樹脂板からなる。このメニューシート４１には、液晶表示部３７と対応する開口部４２が設けられるとともに、その周囲に液晶表示部３７の各印４０に対応するメニュー表示４２ａが印刷により設けられている。また、このメニューシート４１には、露出口２５内に位置するように設けたスペーサ部３０を貫通させる貫通孔４３が設けられている。さらに、メニューシート４１の外周縁には、前記取付部２７ａ〜２７ｃに差し込んで固定するための取付片４４ａ〜４４ｃが突設されている。なお、符号４５は装着部２８に配設するＬＥＤの光を透過させるための孔である。
【００２３】
前記表面部材４６は、肩体１４の係止孔２６に係止する図示しない係止爪を備え、前記肩体１４の表面部材配設部２４に配設することにより、前記メニューシート４１を肩体１４との間に挟み込んで配置するものである。具体的には、この表面部材４６は、肩体１４と同一材料からなる硬質の不透明樹脂部４７の中央に、内部を透視可能な硬質の透明樹脂部４８を形成するとともに、これらの表面に透明な軟質シート部５０を被覆したインサートパネルからなる。この透明樹脂部４８は、前記露出口２５より若干小さい面積であり、従来と比較して非常に大きな面積を占めている。また、この表面部材４６には、スペーサ部３０，３３および操作部材３５の対応位置に挿通穴４９が設けられている。そして、軟質シート部５０において、前記挿通穴４９に対応する部分には、他の外装体の配色に応じ、デザイン性を考慮した配色に着色されるとともに、スイッチ３８に応じた機能表示５１が設けられている。
【００２４】
前記蓋体５２は、肩体１４のヒンジ受部２１に開閉可能に取り付けられ、炊飯器本体１１の開口部１５および炊飯鍋１０の開口部を閉塞するもので、炊飯器本体１１の外装体と共に外表面材を構成する上板５３と、該上板５３の底を閉塞する下板５４と、該下板５４の下面に着脱可能に装着される内蓋５５とを備えている。そして、この蓋体５２の内部には炊飯鍋１０内と外部とを連通する第１および第２の排気通路が設けられ、それぞれに炊飯鍋１０内を大気圧以上に段階的に昇圧するための第１および第２の調圧弁５７，６０が設けられている。また、各排気通路は、その排気（大気）側で１つに合流しており、その出口部分に蒸気口ユニット６４が着脱可能に配設されている。
【００２５】
図１に示すように、蓋体５２において、炊飯鍋１０内と外部とを連通させる第１排気通路は、第１ソレノイド５６のオンオフ制御により動作される内蓋５５に設けた第１調圧弁５７内、該第１調圧弁５７を収容する第１収容部５８内、内蓋５５とヒータカバー６２との隙間、下板５４に形成した共通排気部６３内、および、上板５３に着脱可能に配設した蒸気口ユニット６４内を経た経路により構成されている。また、図２に示すように、蓋体５２において、炊飯鍋１０内と外部とを連通させる第２排気通路は、第２ソレノイド５９のオンオフ制御により動作される内蓋５５に設けた第２調圧弁６０内、該第２調圧弁６０を収容する第２収容部６１内、内蓋５５とヒータカバー６２との隙間、共通排気部６３内、および、蒸気口ユニット６４内を経た経路により構成されている。なお、第１調圧弁５７は、その通気孔５７ａを転動可能な球状部材５７ｂにより開閉可能に閉塞するものである。また、第２調圧弁６０は、その通気孔６０ａをスプリングによって付勢された被付勢部材６０ｂにより閉塞するもので、その閉塞する力（付勢力）が第２ソレノイド５９の動作により変更可能としたものである。
【００２６】
前記構成の炊飯器は、例えば、肩体１４に対して内側から操作基板３６を位置決めして取り付けた後、表面部材配設部２４に対して外側からメニューシート４１を配置する。その後、表面部材４６を外側から配置することにより、該表面部材４６と肩体１４との間にメニューシート４１を挟み込むようにして固定する。そして、この状態で、各構成部品を配置した胴体１２に対して肩体１４を上側から組み付けた後、肩体１４に対して蓋体５２を組み付ける。
【００２７】
このように、本発明の炊飯器では、炊飯器本体１１の外装体である肩体１４にメニューシート４１を配設するため、メニューシート４１を大きくしても液晶表示部３７を固定するための装着部２８などの他部材を大きくする必要はない。そのため、コスト高になることを防止できる。
【００２８】
また、表面部材４６と肩体１４との間にメニューシート４１を挟み込んで配設するため、メニューシート４１と表面部材４６との距離を非常に近接させることができる。その結果、メニューシート４１および表面部材４６の透明部４８を大きくし、スイッチ３８のスペーサ部３０をメニューシート４１に貫通させても、該スペーサ部３０が目視可能な状態で露出することを防止できる。そのため、表面部材４６の透明部４８を大きくしても違和感を与えることを防止でき、確実にデザイン的な高級感を持たせることができる。
【００２９】
さらに、本実施形態では、炊飯器本体１１の肩体１４にスイッチ３８のスペーサ部３０，３３を一体に設けているため、部品点数の削減を図ることができ、コストダウンを図ることができる。そのうえ、別体からなるスイッチスペーサ部材または液晶スペーサ部材の製造誤差および組付誤差を無くすことができるため、その誤差の発生に伴うメニューシート４１の組付作業性および組付精度を向上できる。しかも、メニューシート４１の固定は、取付片４４ａ〜４４ｃを取付部２７ａ〜２７ｃに差し込んで固定するだけであるため、その作業性を大幅に向上できる。
【００３０】
なお、本発明の炊飯器は、前記実施形態の構成に限定されるものではなく、種々の変更が可能である。
【００３１】
例えば、前記実施形態では、表面部材４６を、不透明樹脂部４７と透明樹脂部４８と軟質シート部５０とを有するインサートパネルにより構成したが、所定部位のみ着色するとともに機能表示５１を印刷した透明なパネルシートと表面パネルとで構成してもよく、このようにしても前記と同様の作用および効果を得ることができる。
【００３２】
また、前記実施形態では、炊飯鍋１０の内部を昇圧可能とした圧力炊飯器に適用したが、排気通路に調圧弁５７，６０を搭載していない炊飯器でも適用可能であり、同様の作用および効果を得ることができる。
【図面の簡単な説明】
【００３３】
【図１】本発明の実施形態に係る圧力炊飯器を示す部分断面図である。
【図２】他の部分を切断した状態を示す部分断面図である。
【図３】肩体およびメニューシートの分解斜視図である。
【図４】肩体に操作部を組み付けた状態を示す斜視図である。
【符号の説明】
【００３４】
１０…炊飯鍋
１１…炊飯器本体
１２…胴体
１３…底体
１４…肩体
２３…操作部
２４…表面部材配設部
２５…露出口
２７ａ〜２７ｃ…取付部
３０…スペーサ部
３６…操作基板
３７…液晶表示部
３８…スイッチ
３９…数値表示部
４０…印
４１…メニューシート
４２…開口部
４２ａ…メニュー表示
４３…貫通孔
４４ａ〜４４ｃ…取付片
４６…表面部材
４７…不透明樹脂部
４８…透明樹脂部
５１…機能表示
５２…蓋体
【図１】
2006314700.tif 000003
【図２】
2006314700.tif 000004
【図３】
2006314700.tif 000005
【図４】
2006314700.tif 000006